(57)【要約】【課題】操作ノブの外れを抑制可能な揺動スイッチ装置を提供する。【解決手段】揺動スイッチ装置１は、有底筒状に形成され、操作を受ける操作ノブ３と、操作ノブ３によって導通遮断される接点を有したボデーであって、操作ノブの筒内へと突出され、かつ操作ノブ３を揺動可能に支持する支持部２ａを有したボデーと、ボデーの支持部２ａにおいて操作ノブ３と対向する面の一部分または操作ノブ３においてボデーと対向する面の一部分から、他方の部材に向けて突出する突部２０とを備える。【選択図】図２
2018129145.tif 000002
【特許請求の範囲】
【請求項１】
有底筒状に形成され、操作を受ける操作ノブと、
前記操作ノブによって導通遮断される接点を有したボデーであって、前記操作ノブの筒内へと突出され、かつ前記操作ノブを揺動可能に支持する支持部を有したボデーと、
前記ボデーの支持部において前記操作ノブと対向する面の一部分または前記操作ノブにおいて前記ボデーと対向する面の一部分から、他方の部材に向けて突出する突部と、
を備える揺動スイッチ装置。
【請求項２】
前記突部は、複数個所に配置される請求項１に記載の揺動スイッチ装置。
【請求項３】
前記突部は、前記操作ノブの揺動軸線の両側に配置される請求項１又は２に記載の揺動スイッチ装置。
【請求項４】
前記操作ノブは、引き上げ操作や押し下げ操作により揺動する請求項１に記載の揺動スイッチ装置。
【発明の詳細な説明】
【技術分野】
【０００１】
本発明は、揺動スイッチ装置に係り、特に、操作ノブの引き上げ操作や押し下げ操作によってオンオフ状態を切り替える揺動スイッチ装置に関する。
【背景技術】
【０００２】
揺動スイッチ装置の一例としては、自動車のパワーウインドウスイッチとして用いられるシーソースイッチ装置がある（例えば、特許文献１参照。）。
【０００３】
上記特許文献１に記載されたシーソースイッチ装置は、ケース上に立設された左右一対の支持部の外方に突出する支軸を中心として、引き上げ方向や押し下げ方向に揺動可能な有底筒状の操作ノブを備えている。操作ノブの左右の側面に設けられる孔を上方から左右一対の支持部に近づけて、操作ノブの各孔に各支持部の支軸を嵌め込むことにより、操作ノブがケースに揺動可能に取り付けられる。
【先行技術文献】
【特許文献】
【０００４】
【特許文献１】特開２０１３−２２５３９０号公報
【発明の概要】
【発明が解決しようとする課題】
【０００５】
このようなシーソースイッチ装置は、操作ノブの引き上げ操作や押し下げ操作によってオンオフ状態に切り替えられる。特に、操作ノブの引き上げ操作時において操作ノブが斜めに傾いた状態で引き上げられると、操作ノブの孔が支持部の支軸に沿う方向にずれるので、操作ノブが抜け出てしまう場合があるという問題があった。
【０００６】
従って、本発明の目的は、操作ノブの外れを抑制可能な揺動スイッチ装置を提供することにある。
【課題を解決するための手段】
【０００７】
上記目的を達成するために、本発明は、有底筒状に形成され、操作を受ける操作ノブと、前記操作ノブによって導通遮断される接点を有したボデーであって、前記操作ノブの筒内へと突出され、かつ前記操作ノブを揺動可能に支持する支持部を有したボデーと、前記ボデーの支持部において前記操作ノブと対向する面の一部分または前記操作ノブにおいて前記ボデーと対向する面の一部分から、他方の部材に向けて突出する突部と、を備える揺動スイッチ装置を提供する。
【０００８】
前記突部は、複数個所に配置されることが好ましい。
【０００９】
前記突部は、前記操作ノブの揺動軸線の両側に配置されることが好ましい。
【００１０】
前記操作ノブは、引き上げ操作や押し下げ操作により揺動する構成とすることが好ましい。
【発明の効果】
【００１１】
本発明によれば、操作ノブの抜け低減機能を有する揺動スイッチ装置が得られる。
【図面の簡単な説明】
【００１２】
【図１】本発明の実施の形態に係る揺動スイッチ装置の一例を模式的に示す斜視図である。
【図２】図１のＩＩ−ＩＩ線矢視の要部断面拡大図である。
【図３】図１のＩＩＩ−ＩＩＩ線矢視の要部断面拡大図である。
【図４】実施の形態に係る揺動スイッチ装置に用いられる操作ノブの支持部を図１における矢視ＩＶ線からみた拡大図である。
【発明を実施するための形態】
【００１３】
本発明の揺動スイッチ装置に係る実施の形態について、以下に添付図面を参照して説明する。
【００１４】
本実施の形態に用いる揺動スイッチ装置の一例としては、車両の窓ガラスの上昇操作（マニュアル操作）、自動上昇操作（オート操作）、下降操作（マニュアル操作）や自動下降操作（オート操作）の機能を有するモーメンタリ型のパワーウインドウスイッチ装置を用いることができる。
【００１５】
図１において、揺動スイッチ装置１は、車室内に膨出するドアアームレスト等の内装部品に取り付けられるケース状のスイッチ本体部（ボデー）２と、スイッチ本体部２の上面に揺動可能に支持された操作ノブ３とを備えている。スイッチ本体部２及び操作ノブ３は、ＡＢＳ樹脂等の樹脂材料からなる。
【００１６】
図１及び図２に示すように、スイッチ本体部２の上面には、操作ノブ３を引き上げ方向や押し下げ方向に揺動操作させるための左右一対の支持部２ａ，２ａが上方に向かって起立している。各支持部２ａには、互いに対向する内方に向けて突出する軸部２ｂ，２ｂが設けられている。
【００１７】
操作ノブ３は、前後左右の４つの筒部内面を形成する内部底面を開放した有底筒状の殻体により構成されている。操作ノブ３における指先の操作を受ける操作受部３ｄは、開口端部から前端部に向けて次第に細くなり、その前端部が先細り状に形成されている。
【００１８】
操作ノブ３の筒部の内部底面には、スイッチ本体部２の左右一対の支持部２ａ，２ａのそれぞれに支持された取付部３ａ，３ａが立設されている。取付部３ａは、弾性変形可能に構成されている。
【００１９】
操作ノブ３の取付部３ａには、軸受部３ｂが形成されている。操作ノブ３における取付部３ａの軸受部３ｂをスイッチ本体部２における支持部２ａの軸部２ｂに嵌め込んでスナップフィット嵌合することにより位置決めした状態で、操作ノブ３は、スイッチ本体部２に揺動可能に支持されている。
【００２０】
スイッチ本体部２の内部には、図示しない押圧スイッチ機構が設けられている。押圧スイッチ機構は、支持部２ａにおける軸部２ｂの中心を通る揺動軸線ＣＬ回りに操作ノブ３を引き上げ方向や押し下げ方向に揺動操作させることにより、オンオフ状態を切り替える構成になっている。押圧スイッチ機構を外部の制御装置等と接続するためのコネクタ２ｃがスイッチ本体部２の下方に延びている。
【００２１】
押圧スイッチ機構としては、スイッチ本体部２の内部に設けられた固定接点と、操作ノブ３の揺動操作に応じて固定接点に接触離反することでオンオフする可動接点とを備える任意の公知の押圧スイッチ機構を用いることができる。
【００２２】
スイッチ本体部２の左右一対の支持部２ａ，２ａの間には、コイルバネ４を収容する筒状のスライドガイド２ｄが立設されている。スライドガイド２ｄの筒部内に収容されたコイルバネ４の上端には、スライドガイド２ｄによって上下方向に摺動可能に支持された滑動子５が載置されている。
【００２３】
コイルバネ４の弾性付勢力により、滑動子５の上端部が操作ノブ３の内部底面に形成された滑動溝３ｃの中立位置に押圧状態で摺動可能に接触している。滑動子５が滑動溝３ｃの中立位置に静止しているとき、操作ノブ３は初期位置に保持される。
【００２４】
操作ノブ３を引き上げ方向や押し下げ方向に揺動操作すると、滑動子５と滑動溝３ｃとの相対的な摺動により、コイルバネ４の弾性付勢力に抗して滑動子５が下方向に押し下げられるようになっている。このような操作ノブ３の動きにより、押圧スイッチ機構がオン状態になる。
【００２５】
操作ノブ３の揺動操作を解除すると、コイルバネ４の弾性復帰力によって滑動子５が上方に押し上げられる。操作ノブ３は、滑動子５と滑動溝３ｃとの相対的な摺動により元の初期位置に自動復帰することになり、押圧スイッチ機構がオフ状態になる。
【００２６】
ところで、上述したように、操作ノブ３における左右の取付部３ａの軸受部３ｂと、スイッチ本体部２における左右の支持部２ａの軸部２ｂとは、スナップフィットにより取り付けられる。その構造上、特に、操作ノブ３を斜めに傾いた状態で引き上げ操作した際に、操作ノブ３の軸受部３ｂがスイッチ本体部２の軸部２ｂに沿う方向にずれる。そのため、操作ノブ３の軸受部３ｂがスイッチ本体部２の軸部２ｂから抜け出てしまう場合がある。また、支持部２ａの軸部２ｂや操作ノブ３の軸受部３ｂが破損した場合にも、操作ノブ３の軸受部３ｂがスイッチ本体部２の軸部２ｂから抜け出てしまう可能性がある。
【００２７】
そこで、スイッチ本体部２の支持部２ａあるいは操作ノブ３のいずれか一方の対向面には、抜け止め用の突部２０が設けられている。この突部２０は、操作ノブ３の軸受部３ｂとスイッチ本体部２の軸部２ｂとの嵌合が外れないように操作ノブ３の揺動軸線ＣＬ方向の動きを規制する。
【００２８】
図２、図３、及び図４に示すように、突部２０は、スイッチ本体部２の支持部２ａの軸部２ｂを形成した面と反対側の面に突設されている。突部２０は、揺動軸線ＣＬの両側において、支持部２ａの上下方向にわたって配置されている。
【００２９】
操作ノブ３の筒部内面とスイッチ本体部２の突部２０との間は、所定の隙間寸法Ｄに設定されている。揺動軸線ＣＬに対して斜めに傾斜した状態で操作ノブ３を揺動操作した際に、突部２０が操作ノブ３の筒部内面に当接して隙間寸法Ｄを詰めることができる。この隙間詰めにより、操作ノブ３の揺動軸線ＣＬ方向の移動が、隙間寸法Ｄに制限される。
【００３０】
このような構成を採用することにより、操作ノブ３を引き上げ方向に揺動操作した際に、操作ノブ３の軸受部３ｂがスイッチ本体部２の軸部２ｂに対して斜めに傾いた状態で引き上げられたとしても、操作ノブ３のずれ方向の動きを規制することができる。従って、操作ノブ３がスイッチ本体部２から抜け出ることを抑制することが可能となる。
【００３１】
なお、突部２０は、スイッチ本体部２の支持部２ａの表面よりも隆起させた形状であればよく、ピン状やリブ状等の突起、細長く延びるリブ状や柱状等の突条の形状などであってもよい。
【００３２】
また、スイッチ本体部２の支持部２ａに突部２０を設ける一例を示したが、突部２０の配置位置は、スイッチ本体部２の支持部２ａあるいは操作ノブ３のいずれか一方の対向面にあって揺動軸線ＣＬの両側の任意の箇所に設ける構成であってもよい。
【００３３】
更に、突部２０の配置個数は、１箇所あるいは３箇所以上であってもよく、２箇所に限らない。
【００３４】
更にまた、突部２０が操作ノブ３に接触する部分は、線接触や面接触であってもよく、部分的な線接触や面接触であっても構わない。
【００３５】
更にまた、操作ノブ３の軸受部３ｂは、貫通孔や凹部等である構成であってもよい。
【００３６】
更にまた、スイッチ本体部２に軸部２ｂを設け、操作ノブ３の軸受部３ｂを嵌合する一例を示したが、軸部２ｂと軸受部３ｂとの関係を逆にする構成であっても構わない。
【００３７】
以上のように構成された揺動スイッチ装置１は、スイッチ本体部２に設けられた一対の支持部２ａ，２ａと、各支持部２ａに引き上げ方向や押し下げ方向に揺動可能に取り付けられた操作ノブ３とを備え、スイッチ本体部２の支持部２ａあるいは操作ノブ３のいずれか一方の対向面には、操作ノブ３を揺動軸線ＣＬに対して斜めに傾斜した状態で揺動操作した際に、操作ノブ３を当接させてスイッチ本体部２から外れる方向の移動を規制する突部２０が設けられた構成としている。
【００３８】
図示例による揺動スイッチ装置１は、スイッチ本体部２の上面に立設された一対の支持部２ａ，２ａと、有底筒状の操作ノブ３の内部底面に立設された一対の取付部３ａ，３ａとを備え、一対の支持部２ａは、互いに対向する対向面のそれぞれに突出して形成された軸部２ｂを有し、一対の取付部３ａは、支持部２ａの軸部２ｂに嵌め込んで揺動可能に嵌合される軸受部３ｂを有する揺動スイッチ装置であって、突部２０は、支持部２ａの軸部２ｂを形成した面と反対側の面に設けられている。
【００３９】
この突部２０は、操作ノブ３の揺動軸線ＣＬの両側に上下方向にわたって突出して形成された構成を有していることが好ましい。
【００４０】
この突部２０は、スイッチ本体部２の支持部２ａと操作ノブ３との間の隙間寸法Ｄを詰める隙間詰め部として突出して形成された構成を有していることが好ましい。
【００４１】
このような揺動スイッチ装置１によれば、上記効果に加えて、次の効果が得られる。
【００４２】
操作ノブ３とスイッチ本体部２とにおける嵌合部の剛性を高める必要がないので、スイッチ本体部２及び操作ノブ３の嵌合部に作用する嵌合荷重を小さくすることができる。
【００４３】
以上の説明からも明らかなように、本発明に係る代表的な実施の形態、変形例、及び図示例を例示したが、上記実施の形態、変形例、及び図示例は特許請求の範囲に係る発明を限定するものではない。従って、上記実施の形態、変形例、及び図示例の中で説明した特徴の組合せの全てが本発明の課題を解決するための手段に必須であるとは限らない点に留意すべきである。
【符号の説明】
【００４４】
１…揺動スイッチ装置、２…スイッチ本体部、２ａ…支持部、２ｂ…軸部、２ｃ…コネクタ、２ｄ…スライドガイド、３…操作ノブ、３ａ…取付部、３ｂ…軸受部、３ｃ…滑動溝、３ｄ…操作受部、４…コイルバネ、５…滑動子、２０…突部、ＣＬ…揺動軸線、Ｄ…隙間寸法
【図１】
2018129145.tif 000003
【図２】
2018129145.tif 000004
【図３】
2018129145.tif 000005
【図４】
2018129145.tif 000006
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
有底筒状に形成され、操作を受ける操作ノブと、
前記操作ノブによって導通遮断される接点を有したボデーであって、前記操作ノブの筒内へと突出され、かつ前記操作ノブを揺動可能に支持する支持部を有したボデーと、
前記ボデーの支持部において前記操作ノブと対向する面または前記操作ノブにおいて前記ボデーと対向する面から、他方の部材に向けて突出する軸部と、他方の部材に設けられ、前記軸部が嵌合する軸受部とを有した支持構造と、
前記ボデーの支持部において前記操作ノブと対向する面の一部分または前記操作ノブにおいて前記ボデーと対向する面の一部分から、他方の部材に向けて突出し、前記軸部とは別に設けられた突部と、
を備える揺動スイッチ装置。
【請求項２】
前記突部は、前記ボデーの支持部において前記操作ノブと対向する面の一部分または前記操作ノブにおいて前記ボデーと対向する面の各々において、複数個所に配置される請求項１に記載の揺動スイッチ装置。
【請求項３】
前記突部は、前記操作ノブの揺動軸線の両側に配置される請求項１又は２に記載の揺動スイッチ装置。
【請求項４】
前記突部の各々は、前記支持部の延出方向に沿って連続して設けられた突条である請求項１に記載の揺動スイッチ装置。